(57)【特許請求の範囲】
【請求項１】
正入力端子と負入力端子との間に入力されている極性によって転てつ機の転換状態を示す入力信号に応じた出力信号を、検査信号が入力された際に出力する転てつ表示入力回路であって、
前記正入力端子と前記負入力端子との間に直列接続された第１抵抗器、第３抵抗器及び第４抵抗器と、
前記第４抵抗器に対して並列接続され、前記検査信号が入力された場合に前記第４抵抗器の通流をバイパスさせる第１回路部と、
前記第１回路部によるバイパス電流の有無に応じて、前記直列接続された第３抵抗器及び第４抵抗器に対して第２抵抗器を並列投入する第２回路部と、
を備え、
前記第２抵抗器を通じた電流の有無及び当該電流の極性に応じて、前記出力信号を出力する転てつ表示入力回路。
【請求項２】
前記検査信号には、定位検査信号と反位検査信号とがあり、
前記第１回路部は、
第２フォトカプラの第２フォトダイオードと、前記定位検査信号によってオン／オフされる第３フォトカプラの第３フォトトランジスタとを、前記正入力端子及び前記負入力端子の極性に対して順方向に直列接続して有するとともに、直列接続された前記第２フォトダイオード及び前記第３フォトトランジスタに対して、第１ダイオードを逆並列に接続して有する第５回路部と、
前記反位検査信号によってオン／オフされる第４フォトカプラの第４フォトトランジスタと、第５フォトカプラの第５フォトダイオードとを、前記正入力端子及び前記負入力端子の極性に対して逆方向に直列接続して有するとともに、直列接続された前記第４フォトトランジスタ及び前記第５フォトダイオードに対して、第２ダイオードを逆並列に接続して有する第６回路部と、
を直列接続して有し、
前記第２回路部は、
第１フォトカプラの第１フォトダイオードと、前記第２フォトカプラの第２フォトトランジスタとを、前記正入力端子及び前記負入力端子の極性に対して順方向に直列接続して有し、前記入力信号が定位状態を示す極性の場合に前記第２抵抗器を並列投入する第３回路部と、
前記第５フォトカプラの第５フォトトランジスタと、第６フォトカプラの第６フォトダイオードとを、前記正入力端子及び前記負入力端子の極性に対して逆方向に直列接続して有し、前記入力信号が反位状態を示す極性の場合に前記第２抵抗器を並列投入する第４回路部と、
を並列接続して有し、
前記第１フォトカプラの第１フォトトランジスタがオン／オフされることで定位状態であることを示す出力信号を出力し、前記第６フォトカプラの第６フォトトランジスタがオン／オフされることで反位状態であることを示す出力信号を出力する、
請求項１に記載の転てつ表示入力回路。
【請求項３】
前記第１回路部は、第２フォトカプラの第２双方向ダイオードと、前記検査信号によってオン／オフされるフォトＭＯＳリレーの双方向ＭＯＳＦＥＴと、第４フォトカプラの第４双方向ダイオードとを直接接続して有し、
前記第２回路部は、
第１フォトカプラの第１フォトダイオードと、前記第２フォトカプラの第２フォトトランジスタとを、前記正入力端子及び前記負入力端子の極性に対して順方向に直列接続して有し、前記入力信号が定位状態を示す極性の場合に前記第２抵抗器を並列投入する第３回路部と、
前記第４フォトカプラの第４フォトトランジスタと、第６フォトカプラの第６フォトダイオードとを、前記正入力端子及び前記負入力端子の極性に対して逆方向に直列接続して有し、前記入力信号が反位状態を示す極性の場合に前記第２抵抗器を並列投入する第４回路部と、
を並列接続して有し、
前記第１フォトカプラの第１フォトトランジスタがオン／オフされることで定位状態であることを示す出力信号を出力し、前記第６フォトカプラの第６フォトトランジスタがオン／オフされることで反位状態であることを示す出力信号を出力する、
請求項１に記載の転てつ表示入力回路。
【請求項４】
前記第１〜第６フォトカプラそれぞれを、フォトモスリレーなどの光半導体素子に代えて構成した請求項２又は３に記載の転てつ表示入力回路。
【請求項５】
前記第２抵抗器及び前記第３抵抗器は略同一の抵抗値を有してなる、
請求項１〜４の何れか一項に記載の転てつ表示入力回路。
【発明の詳細な説明】
【技術分野】
【０００１】
本発明は、転てつ機の転換状態を示す入力信号に応じた信号を出力する転てつ表示入力回路に関する。
【背景技術】
【０００２】
駅構内などで列車運行の安全を確保する電子連動装置は、転てつ機や信号機などの遠隔の現場機器からその動作状態（現場機器が有するリレー接点の開閉状態）を示す入力信号を受信し、該入力信号が示す現場機器の動作状態に基づいて安全確保のための論理処理を行っている。かかる電子連動装置では、故障が発生しても該故障によって乗客が危険な状態に陥らないようにするフェールセーフ対策が施されており、現場機器の動作状態を入力する入力回路においても、フェールセーフな入力が求められる。
【０００３】
例えば、特許文献１に開示されたフェールセーフ入力回路では、ノイズの影響を受け難くするために、閾値電圧以下を不感知とする閾値電圧設定回路を介して現場機器からの入力信号を取り込むとともに、閾値電圧設定回路が正常に動作しているか否かを検査する機能を備えている。
【０００４】
しかしながら、特許文献１に開示された回路では、フェールセーフ検査信号がパルス的にオン制御されたとき以外には入力接点に電流が流れない。そのため、入力接点が閉成時には、連続して電流を流して接点表面の酸化膜を破壊して接点接触抵抗を増大させないようにする接点ウェッティング効果が期待できず、接触不良の可能性を低減して信頼性を高める観点からは問題があった。
【０００５】
そこで、特許文献２に開示された、転てつ機の転換状態を示す信号を入力する接点入力回路（転てつ表示入力回路の一種）のように、閾値電圧設定回路の抵抗器の開放故障に対するフェールセーフ性を確保しつつ、接点の接触信頼性の向上を図った構成が知られている。
【先行技術文献】
【特許文献】
【０００６】
【特許文献１】特開平８−０８０８５１号公報
【特許文献２】特開２００８−１２６８０１号公報
【発明の概要】
【発明が解決しようとする課題】
【０００７】
しかしながら、特許文献２に開示された接点入力回路では、検査信号がパルス的にオン制御されたときに流れる制御用電流と、検査信号がオフ制御されたときに流れる接点ウェッティング電流とがほぼ等しい。通常、制御用電流は大きな値が設定される。制御用電流と接点ウェッティング電流とがほぼ等しいため、検査信号がオフ制御されたときの消費電力が大きく、発熱量も大きいという問題があった。
【０００８】
本発明は、上記事情に鑑みてなされたものであり、その目的とするところは、閾値電圧設定回路の抵抗器の開放故障に対するフェールセーフ性を確保し、且つ、検査信号がオフ制御されたときの消費電力を低減することのできる転てつ表示入力回路を実現することである。
【課題を解決するための手段】
【０００９】
上記課題を解決するための第１の形態は、
正入力端子と負入力端子との間に入力されている極性によって転てつ機の転換状態を示す入力信号に応じた出力信号を、検査信号が入力された際に出力する転てつ表示入力回路であって、
前記正入力端子と前記負入力端子との間に直列接続された第１抵抗器、第３抵抗器及び第４抵抗器と、
前記第４抵抗器に対して並列接続され、前記検査信号が入力された場合に前記第４抵抗器の通流をバイパスさせる第１回路部と、
前記第１回路部によるバイパス電流の有無に応じて、前記直列接続された第３抵抗器及び第４抵抗器に対して第２抵抗器を並列投入する第２回路部と、
を備え、
前記第２抵抗器を通じた電流の有無及び当該電流の極性に応じて、前記出力信号を出力する転てつ表示入力回路である。
【００１０】
この第１の形態によれば、転てつ表示入力回路では、検査信号が入力されない場合には、正入力端子及び負入力端子間に直列接続された第１抵抗器、第３抵抗器及び第４抵抗器を経由する経路に、入力信号の極性に応じた向きの電流が流れる。一方、検査信号が入力された場合には、第４抵抗器の通流がバイパスされて、直列接続された第３抵抗器及び第４抵抗器に対して、第２抵抗器が並列投入される。この結果、検査信号が入力された場合、第２抵抗器には、入力信号の極性に応じた向きの電流が流れる。この第２抵抗器を通じた電流の有無及び当該電流の極性に応じた出力信号、つまり入力信号の極性に応じた出力信号を出力する。
【００１１】
以上の回路動作により、検査信号の入力有無にかかわらず、常時、正入力端子と負入力端子との間に電流が流れて、接点の信頼性を維持するための接点ウェッティングがなされる。またこのとき、例えば、第４抵抗器の抵抗値を充分大きくすることで、検査信号が入力されていないときの電流（ウェッティング電流）を小さくすることができ、消費電力の低減を図ることができる。また、例えば、第３抵抗器が開放故障したときには、入力端子間に電流が流れない。つまり、入力信号が入力されない場合と同じ出力信号となるため、フェールセーフが実現される。
【００１２】
より具体的な回路構成の例として、第２の形態として、第１の形態の転てつ表示入力回路であって
前記検査信号には、定位検査信号と反位検査信号とがあり、
前記第１回路部は、
第２フォトカプラの第２フォトダイオードと、前記定位検査信号によってオン／オフされる第３フォトカプラの第３フォトトランジスタとを、前記正入力端子及び前記負入力端子の極性に対して順方向に直列接続して有するとともに、直列接続された前記第２フォトダイオード及び前記第３フォトトランジスタに対して、第１ダイオードを逆並列に接続して有する第５回路部と、
前記反位検査信号によってオン／オフされる第４フォトカプラの第４フォトトランジスタと、第５フォトカプラの第５フォトダイオードとを、前記正入力端子及び前記負入力端子の極性に対して逆方向に直列接続して有するとともに、直列接続された前記第４フォトトランジスタ及び前記第５フォトダイオードに対して、第２ダイオードを逆並列に接続して有する第６回路部と、
を直列接続して有し、
前記第２回路部は、
第１フォトカプラの第１フォトダイオードと、前記第２フォトカプラの第２フォトトランジスタとを、前記正入力端子及び前記負入力端子の極性に対して順方向に直列接続して有し、前記入力信号が定位状態を示す極性の場合に前記第２抵抗器を並列投入する第３回路部と、
前記第５フォトカプラの第５フォトトランジスタと、第６フォトカプラの第６フォトダイオードとを、前記正入力端子及び前記負入力端子の極性に対して逆方向に直列接続して有し、前記入力信号が反位状態を示す極性の場合に前記第２抵抗器を並列投入する第４回路部と、
を並列接続して有し、
前記第１フォトカプラの第１フォトトランジスタがオン／オフされることで定位状態であることを示す出力信号を出力し、前記第６フォトカプラの第６フォトトランジスタがオン／オフされることで反位状態であることを示す出力信号を出力する、
転てつ表示入力回路を構成しても良い。
【００１３】
また、他の具体的な回路構成の例として、第３の形態として、第１の形態の転てつ表示入力回路であって、
前記第１回路部は、第２フォトカプラの第２双方向ダイオードと、前記検査信号によってオン／オフされるフォトＭＯＳリレーの双方向ＭＯＳＦＥＴと、第４フォトカプラの第４双方向ダイオードとを直接接続して有し、
前記第２回路部は、
第１フォトカプラの第１フォトダイオードと、前記第２フォトカプラの第２フォトトランジスタとを、前記正入力端子及び前記負入力端子の極性に対して順方向に直列接続して有し、前記入力信号が定位状態を示す極性の場合に前記第２抵抗器を並列投入する第３回路部と、
前記第４フォトカプラの第４フォトトランジスタと、第６フォトカプラの第６フォトダイオードとを、前記正入力端子及び前記負入力端子の極性に対して逆方向に直列接続して有し、前記入力信号が反位状態を示す極性の場合に前記第２抵抗器を並列投入する第４回路部と、
を並列接続して有し、
前記第１フォトカプラの第１フォトトランジスタがオン／オフされることで定位状態であることを示す出力信号を出力し、前記第６フォトカプラの第６フォトトランジスタがオン／オフされることで反位状態であることを示す出力信号を出力する、
転てつ表示入力回路を構成しても良い。
【００１４】
また、第４の形態として、第２又は第３の形態の転てつ表示入力回路であって、
前記第１〜第６フォトカプラそれぞれを、フォトモスリレーなどの光半導体素子に代えて構成した転てつ表示入力回路を構成しても良い。
【００１５】
また、第５の形態として、第１〜第４の何れかの形態の転てつ表示入力回路であって、
前記第２抵抗器及び前記第３抵抗器は略同一の抵抗値を有してなる、
転てつ表示入力回路を構成しても良い。
【００１６】
この第５の形態によれば、第２抵抗器と第３抵抗器とは略同一の抵抗値を有してなるため、検査信号が入力された場合には、第１抵抗器に流れる電流が、第３抵抗器及び第２抵抗器それぞれに均等に分流される。
これにより、第１回路部及び第２回路部の動作を安定させることが可能となる。
【図面の簡単な説明】
【００１７】
【図１】第１実施形態における転てつ表示入力回路の接続状態を示すブロック図。
【図２】転てつ表示入力回路の回路図。
【図３】転てつ表示入力回路の動作説明図。
【図４】転てつ表示入力回路の動作説明図。
【図５】転てつ表示入力回路の動作説明図。
【図６】転てつ表示入力回路の動作説明図。
【図７】第２実施形態における転てつ表示入力回路の回路図。
【図８】転てつ表示入力回路の動作説明図。
【図９】転てつ表示入力回路の動作説明図。
【発明を実施するための形態】
【００１８】
以下、図面を参照して本発明の実施形態を説明する。但し、本発明の適用可能な実施形態がこれに限定されるものではない。
【００１９】
［第１実施形態］
先ず、第１実施形態を説明する。
【００２０】
＜接続構成＞
図１は、第１実施形態の転てつ表示入力回路１０Ａの接続状態を示すブロック図である。図１によれば、転てつ表示入力回路１０Ａは、正入力端子１１と、負入力端子１２と、定位出力端子１３と、反位出力端子１４と、定位検査信号入力端子１５と、反位検査信号入力端子１６とを有している。
【００２１】
正入力端子１１及び負入力端子１２は、入力回線を介して、転てつ機２０が有するリレー接点で構成される転てつ表示接点に接続され、転てつ機２０の転換状態に応じた極性の電圧が印加される。具体的には、定位転換状態では、規定電圧以上の大きさの順方向電圧（正極性）が印加され、反位転換状態では、規定電圧以上の大きさの逆方向電圧（負極性）が印加される。
【００２２】
定位出力端子１３及び反位出力端子１４は、電子連動装置３０に接続され、定位出力端子１３から定位出力信号を出力し、反位出力端子１４から反位出力信号を出力する。
【００２３】
定位検査信号入力端子１５及び反位検査信号入力端子１６は、電子連動装置３０に接続されており、定位検査信号入力端子１５には定位検査信号が入力され、反位検査信号入力端子１６には反位検査信号が入力される。
【００２４】
この転てつ表示入力回路１０Ａは、定位検査信号が入力（オン）されているときには、転てつ機２０が定位転換状態であるか否かを示す定位出力信号を定位出力端子１３から出力し、反位検査信号が入力（オン）されているときには、転てつ機２０が反位転換状態であるか否かを示す反位出力信号を反位出力端子１４から出力する。
【００２５】
＜回路構成＞
図２は、第１実施形態における転てつ表示入力回路１０Ａの回路図である。図２によれば、転てつ表示入力回路１０Ａは、第１抵抗器Ｒ１と、第２抵抗器Ｒ２と、第３抵抗器Ｒ３と、第４抵抗器Ｒ４と、第１回路部２１と、第２回路部２２とを備えて構成される。具体的には、正入力端子１１と負入力端子１２との間に、第１抵抗器Ｒ１、第３抵抗器Ｒ３、及び、第４抵抗器Ｒ４が直列接続され、第４抵抗器Ｒ４に対して、第１回路部２１が並列接続され、直列接続された第３抵抗器Ｒ３及び第４抵抗器Ｒ４に対して、直列接続された第２抵抗器Ｒ２及び第２回路部２２が並列接続されている。
【００２６】
第１回路部２１は、第５回路部２５及び第６回路部２６が直列接続されて構成されている。第５回路部２５は、第２フォトカプラＰ２の第２フォトダイオードＰｄ２と第３フォトカプラＰ３の第３フォトトランジスタＰｔ３とが、正入力端子１１及び負入力端子１２間の極性に対して順方向に直列接続されているとともに、直列接続された第２フォトダイオードＰｄ２及び第３フォトトランジスタＰｔ３に対して、逆電圧保護用の第１ダイオードＤ１が逆並列に接続されて構成されている。
【００２７】
第６回路部２６は、第４フォトカプラＰ４の第４フォトトランジスタＰｔ４と第５フォトカプラＰ５の第５フォトダイオードＰｄ５とが、正入力端子１１及び負入力端子１２間の極性に対して逆方向に直列接続されているとともに、直列接続された第４フォトトランジスタＰｔ４及び第５フォトダイオードＰｄ５に対して、逆電圧保護用の第２ダイオードＤ２が逆並列に接続されて構成されている。
【００２８】
第２回路部２２は、第３回路部２３と、第４回路部２４とが並列接続されて構成されている。第３回路部２３は、第１フォトカプラＰ１の第１フォトダイオードＰｄ１と第２フォトカプラＰ２の第２フォトトランジスタＰｔ２とが、正入力端子１１及び負入力端子１２間の極性に対して順方向に直列接続されて構成されている。第４回路部２４は、第５フォトカプラＰ５の第５フォトトランジスタＰｔ５と第６フォトカプラＰ６の第６フォトダイオードＰｄ６とが、正入力端子１１及び負入力端子１２間の極性に対して逆方向に直列接続されて構成されている。
【００２９】
定位出力回路部３１は、第１フォトカプラＰ１の第１フォトトランジスタＰｔ１のコレクタが、定位出力端子１３、及び、第５抵抗器Ｒ５を介して電源（プルアップ電圧）に接続され、エミッタが接地されて構成されている。反位出力回路部３２は、第６フォトカプラＰ６の第６フォトトランジスタＰｔ６のコレクタが、反位出力端子１４、及び、第８抵抗器Ｒ８を介して電源（プルアップ電圧）に接続され、エミッタが接地されている。
【００３０】
定位入力回路部３３は、第３フォトカプラＰ３の第３フォトダイオードＰｄ３のアノードが第６抵抗器Ｒ６を介して電源（プルアップ電圧）に接続され、カソードが定位検査信号入力端子１５に接続されて構成されている。反位入力回路部３４は、第４フォトカプラＰ４の第４フォトダイオードＰｄ４のアノードが第７抵抗器Ｒ７を介して電源（プルアップ電圧）に接続され、カソードが反位検査信号入力端子１６に接続されて構成されている。
【００３１】
このように構成される転てつ表示入力回路１０Ａにおいて、第１抵抗器Ｒ１、及び、第３抵抗器Ｒ３は、検査信号が入力（オン）されたときの閾値電圧設定回路を形成している。すなわち、後述するとおり、定位検査信号或いは反位検査信号が入力された場合には、第１回路部２１が作動して第４抵抗器Ｒ４の通流がバイパスされる。また、第２抵抗器Ｒ２は、第３抵抗器Ｒ３とほぼ同じ抵抗値の抵抗器で構成される。この結果、正入力端子１１及び負入力端子１２間に入力された入力信号は、概略、第１抵抗器Ｒ１及び第３抵抗器Ｒ３間で分圧するように作用するため、第１抵抗器Ｒ１及び第３抵抗器Ｒ３は、閾値電圧設定回路として機能するのである。
【００３２】
また、この第１抵抗器Ｒ１、及び、第３抵抗器Ｒ３によって、入力回線に誘起されるノイズにより正入力端子１１及び負入力端子１２の間に発生するノイズ電圧を分圧し、このノイズ電圧に起因する第３回路部２３、或いは、第４回路部２４の誤動作を防止している。
【００３３】
また、第２抵抗器Ｒ２と第３抵抗器Ｒ３との抵抗値はほぼ同じである（「ほぼ同じ」とするのは、抵抗値が完全に同じ抵抗器は物理的に作成困難であるからである）。これにより、第１抵抗器Ｒ１に流れる電流が、第３抵抗器Ｒ３及び第２抵抗器Ｒ２それぞれにほぼ均等に分流される。
【００３４】
＜動作＞
次に、転てつ表示入力回路１０Ａの動作を説明する。
【００３５】
（Ａ）転てつ機２０が定位転換状態の場合
転てつ機が定位となって転てつ表示出力接点が定位側に構成されると、正入力端子１１と負入力端子１２との間に順方向電圧が印加される。
【００３６】
（Ａ−１）定位検査信号がオフ（ハイレベル）
この状態で、図３に示すように、定位検査信号がオフ（ハイレベル）の場合には、第３フォトダイオードＰｄ３に電流が流れず、第３フォトトランジスタＰｔ３はオフとなる。このため、第２フォトダイオードＰｄ２に電流が流れず、第２フォトトランジスタＰｔ２はオフとなる。そして、第１フォトダイオードＰｄ１に電流が流れず、第１フォトトランジスタＰｔ１はオフとなる。その結果、定位出力端子１３から出力される定位出力信号は「ハイレベル」となる。またこのとき、第１抵抗器Ｒ１、第３抵抗器Ｒ３及び第４抵抗器Ｒ４の経路に、正入力端子１１及び負入力端子１２の間の印加電圧に応じた電流が流れ、接点の信頼性を維持するための接点ウェッティングがなされる。
【００３７】
（Ａ−２）定位検査信号がオン（ローレベル）
また、図４に示すように、定位検査信号がオン（ローレベル）の場合には、第３フォトダイオードＰｄ３に電流が流れ、第３フォトトランジスタＰｔ３がオンとなる。このため、第４抵抗器Ｒ４の通流がバイパスされて、第１抵抗器Ｒ１、第３抵抗器Ｒ３、第２フォトダイオードＰｄ２、第３フォトトランジスタＰｔ３、及び、第２ダイオードＤ２の経路に電流が流れ、第２フォトトランジスタＰｔ２がオンとなる。第２フォトトランジスタＰｔ２がオンとなってことにより、第２抵抗器Ｒ２が第３抵抗器Ｒ３に対して並列投入される。そして、第１抵抗器Ｒ１、第２抵抗器Ｒ２、第１フォトダイオードＰｄ１、及び、第２フォトトランジスタＰｔ２の経路に電流が流れ、第１フォトトランジスタＰｔ１がオンとなる。その結果、定位出力端子１３から出力される定位出力信号は「ローレベル」となる。
【００３８】
（Ａ−３）
一方、順方向電圧が印加されない、或いは、第３抵抗器Ｒ３が開放故障している場合には、第２フォトダイオードＰｄ２に電流が流れないため、第２フォトトランジスタＰｔ２はオフとなる。このため、定位検査信号のオン／オフ制御に関わらず、第１フォトダイオードＰｄ１には電流が流れず、第１フォトトランジスタＰｔ１はオフとなり、定位出力信号は「ハイレベル」となる。
【００３９】
（Ｂ）転てつ機２０が反位転換状態
転てつ機が反位となって転てつ表示出力接点が反位側に構成されると、正入力端子１１と負入力端子１２との間に逆方向電圧が印加される。
【００４０】
（Ｂ−１）反位検査信号がオフ（ハイレベル）の場合
この状態で、図５に示すように、反位検査信号がオフ（ハイレベル）の場合には、第４フォトダイオードＰｄ４に電流が流れず、第４フォトトランジスタＰｔ４はオフとなる。このため、第５フォトダイオードＰｄ５に電流が流れず、第５フォトトランジスタＰｔ５はオフとなる。そして、第６フォトダイオードＰｄ６に電流が流れず、第６フォトトランジスタＰｔ６はオフとなる。その結果、反位出力端子１４から出力される反位出力信号は「ハイレベル」となる。またこのとき、第４抵抗器Ｒ４、第３抵抗器Ｒ３、第１抵抗器Ｒ１の経路に、正入力端子１１及び負入力端子１２の間の印加電圧に応じた電流が流れ、接点の信頼性を維持するための接点ウェッティングがなされる。
【００４１】
（Ｂ−２）反位検査信号がオン（ローレベル）
また、図６に示すように、反位検査信号がオン（ローレベル）の場合には、第４フォトダイオードＰｄ４に電流が流れ、第４フォトトランジスタＰｔ４がオンとなる。このため、第４抵抗器Ｒ４の通流がバイパスされて、第５フォトダイオードＰｄ５、第４フォトトランジスタＰｔ４、第１ダイオードＤ１、第３抵抗器Ｒ３、及び、第１抵抗器Ｒ１の経路に電流が流れ、第５フォトトランジスタＰｔ５がオンとなる。第５フォトトランジスタＰｔ５がオンとなったことにより、第２抵抗器Ｒ２が第３抵抗器Ｒ３に対して並列投入される。そして、第６フォトダイオードＰｄ６、第５フォトトランジスタＰｔ５、第２抵抗器Ｒ２、及び、第１抵抗器Ｒ１の経路に電流が流れ、第６フォトトランジスタＰｔ６がオンとなる。その結果、反位出力端子１４から出力される反位出力信号は「ローレベル」となる。
【００４２】
（Ｂ−３）
一方、逆方向電圧が印加されない、或いは、第３抵抗器Ｒ３が開放故障している場合には、第５フォトダイオードＰｄ５に電流が流れないため、第５フォトトランジスタＰｔ５はオフとなる。このため、反位検査信号のオン／オフ制御に関わらず、第６フォトダイオードＰｄ６には電流が流れず、第６フォトトランジスタＰｔ６はオフとなり、反位出力信号は「ハイレベル」となる。
【００４３】
＜作用・効果＞
このように、転てつ表示入力回路１０Ａによれば、定位検査信号をオン／オフ制御したとき、これに対応して定位出力信号がローレベル／ハイレベルに変化するならば、第３抵抗器Ｒ３の開放故障が無く、且つ、転てつ機２０が転換状態にあることを示す転てつ表示情報が正しく伝達されていると判断することができる。また、定位検査信号をオン／オフ制御しても、定位出力信号がハイレベルに固定されているならば、第３抵抗器Ｒ３が開放故障している可能性があると判断できる。
【００４４】
一方、反位検査信号についても同様に、反位検査信号をオン／オフ制御したとき、これに対応して反位出力信号がローレベル／ハイレベルに変化するならば、第３抵抗器Ｒ３の開放故障が無く、且つ、転てつ機２０が反位転換状態にあることを示す転てつ表示情報が正しく伝達されていると判断することができる。また、反位検査信号をオン／オフ制御しても、反位出力信号がハイレベルに固定されているならば、第３抵抗器Ｒ３が開放故障している可能性があると判断できる。
【００４５】
また、定位転換状態／反位転換状態の何れの場合でも、転てつ機２０のリレー接点が構成されているときには、定位検査信号／反位検査信号のオン／オフ制御に関わらず、正入力端子１１及び負入力端子１２の間には常に電流が流れて接点ウェッティングがなされる。
【００４６】
またこのとき、定位検査信号／反位検査信号がオフ制御のときに正入力端子１１及び負入力端子１２の間に流れる電流（ウェッティング電流）の大きさは、第４抵抗器Ｒ４の抵抗値によって決まる。このため、第４抵抗器Ｒ４の抵抗値を大きくすることで、定位検査信号／反位検査信号がオフ制御時に流れる電流（ウェッティング電流）を小さくし、消費電力の低減を図ることができる。
【００４７】
［第２実施形態］
次に、第２実施形態を説明する。第２実施形態は、上述の第１実施形態の転てつ表示入力回路１０Ａにおいて、定位検査信号入力端子１５及び反位検査信号入力端子１６を共通化し、定位検査信号及び反位検査信号を１つの検査信号として実現した実施形態である。なお、以下の説明において、上述の第１実施形態と同一の要素については同符号を付し、詳細な説明を省略或いは簡略する。
【００４８】
＜構成＞
図７は、第２実施形態における転てつ表示入力回路１０Ｂの回路図である。図7によれば、転てつ表示入力回路１０Ｂは、正入力端子１１と、負入力端子１２と、定位出力端子１３と、反位出力端子１４と、共通検査信号入力端子１７とを有している。
【００４９】
共通検査信号入力端子１７は、電子連動装置３０に接続され、共通検査信号が入力される。そして、転てつ表示入力回路１０Ｂは、検査信号が入力（オン）されているときには、転てつ機２０が定位転換状態であるか否かを示す定位出力信号を定位出力端子１３から出力するとともに、転てつ機２０が反位転換状態であるか否かを示す反位出力信号を反位出力端子１４から出力する。
【００５０】
転てつ表示入力回路１０Ｂは、第１抵抗器Ｒ１と、第２抵抗器Ｒ２と、第３抵抗器Ｒ３と、第４抵抗器Ｒ４と、第１回路部４１と、第２回路部４２と、定位出力回路部３１と、反位出力回路部３２と、共通入力回路部３５とを備えて構成される。具体的には、正入力端子１１と負入力端子１２との間に、第１抵抗器Ｒ１、第３抵抗器Ｒ３、及び、第４抵抗器Ｒ４が直列接続され、第４抵抗器Ｒ４に対して第１回路部４１が並列接続され、直列接続された第３抵抗器Ｒ３及び第４抵抗器Ｒ４に対して、直列接続された第２抵抗器Ｒ２及び第２回路部４２が並列接続されている。
【００５１】
第１回路部４１は、第７フォトカプラＰ７の第７双方向ダイオードＰｄ７と、フォトＭＯＳリレーＰ８の双方向ＭＯＳＦＥＴＰｔ８と、第９フォトカプラＰ９の第９双方向ダイオードＰｄ９とが直列接続されて構成されている。
【００５２】
第２回路部４２は、第３回路部４３及び第４回路部４４が並列接続されて構成されている。第３回路部４３は、第１フォトダイオードＰｄ１と第７フォトカプラＰ７の第７フォトトランジスタＰｔ７とが、正入力端子１１及び負入力端子１２の極性に対して順方向に直列接続されて構成されている。第４回路部４４は、第９フォトカプラＰ９の第９フォトトランジスタＰｔ９と第６フォトダイオードＰｄ６とが、正入力端子１１及び負入力端子１２の極性に対して逆方向に直列接続されて構成されている。
【００５３】
共通入力回路部３５は、フォトＭＯＳリレーＰ８のフォトダイオードＰｄ８のアノードが第６抵抗器Ｒ６を介して電源（プルアップ電圧）に接続され、カソードが共通検査信号入力端子１７に接続されて構成されている。
【００５４】
＜動作＞
次に、転てつ表示入力回路１０Ｂの動作を説明する。
【００５５】
（Ａ）転てつ機２０が定位転換状態の場合
転てつ機２０が定位となって転てつ表示出力接点が定位側に構成されると、正入力端子１１と負入力端子１２との間に順方向電圧が印加される。
【００５６】
（Ａ−１）共通検査信号がオフ（ハイレベル）
この状態で、図８に示すように、共通検査信号がオフ（ハイレベル）の場合には、第８フォトダイオードＰｄ８に電流が流れず、双方向ＭＯＳＦＥＴＰｔ８はオフとなる。このため、第７双方向ダイオードＰｄ７、及び、第９双方向ダイオードＰｄ９にともに電流が流れず、第７フォトトランジスタＰｔ７、及び、第９フォトトランジスタＰｔ９は、ともにオフとなる。そして、第１フォトダイオードＰｄ１、及び、第６フォトダイオードＰｄ６にともに電流が流れず、第１フォトトランジスタＰｔ１、及び、第６フォトトランジスタＰｔ６は、ともにオフとなる。その結果、定位出力端子１３から出力される定位出力信号、及び、反位出力端子１４から出力される反位出力信号は、ともに「ハイレベル」となる。
【００５７】
（Ａ−２）検査信号がオン（ローレベル）
また、図９に示すように、共通検査信号がオン（ローレベル）の場合には、第８フォトダイオードＰｄ８に電流が流れ、双方向ＭＯＳＦＥＴＰｔ８がオンとなる。このため、第４抵抗器Ｒ４の通流がバイパスされて、第１抵抗器Ｒ１、第３抵抗器、第７双方向ダイオードＰｄ７、双方向ＭＯＳＦＥＴＰＴｔ８、及び、第９双方向ダイオードＰｄ９の経路に電流が流れる。このとき、第７双方向ダイオードＰｄ７、及び、第９双方向ダイオードＰｄ９には、順方向に電流が流れる。第７双方向ダイオードＰｄ７及び第９双方向ダイオードＰｄ９に通流するため、第７フォトトランジスタＰｔ７及び第９フォトトランジスタＰｔ９がともにオンとなり、第２抵抗器Ｒ２が並列投入されるが、順方向の電流であるために、第９フォトトランジスタＰｔ９には電流が流れず、第７フォトトランジスタＰｔ７のみに電流が流れることになる。このため、定位出力信号が「ローレベル」となるとともに、反位出力信号が「ハイレベル」となる。
【００５８】
（Ｂ）転てつ機２０が反位転換状態の場合
一方、転てつ機２０が反位となって転てつ表示出力接点が反位側に構成されると、正入力端子１１と負入力端子１２との間に逆方向電圧が印加される。
【００５９】
（Ｂ−１）共通検査信号がオフ（ハイレベル）
不図示であるが、この状態で、共通検査信号がオフ（ハイレベル）の場合には、定位転換状態の場合（図８参照）とほぼ同様に、双方向ＭＯＳＦＥＴＰｔ８がオフとなるため、定位出力端子１３から出力される定位出力信号、及び、反位出力端子１４から出力される反位出力信号は、ともに「ハイレベル」となる。定位転換状態の場合と異なるのは、正入力端子１１及び負入力端子１２の間に、第４抵抗器Ｒ４、第３抵抗器Ｒ３、及び、第１抵抗器Ｒ１の経路で電流が流れる点である。
【００６０】
（Ｂ−２）共通検査信号がオン（ローレベル）
一方、共通検査信号がオン（ローレベル）の場合には、双方向ＭＯＳＦＥＴＰｔ８がオンとなり、定位転換状態の場合（図９参照）とは逆方向に、第９双方向ダイオードＰｄ９、双方向ＭＯＳＦＥＴＰｔ８、第７双方向ダイオードＰｄ７、第３抵抗器Ｒ３、及び、第１抵抗器Ｒ１の順に電流が流れる。つまり、第７双方向ダイオードＰｄ７、及び、第９双方向ダイオードＰｄ９には、逆方向の電流が流れるため、第７フォトトランジスタＰｔ７には電流が流れず、第９フォトトランジスタＰｔ９にのみ電流が流れることになる。この結果、定位出力信号が「ハイレベル」となるとともに、反位出力信号が「ローレベル」となる。
【００６１】
＜作用・効果＞
このように、転てつ表示入力回路１０Ｂによれば、共通検査信号をオン／オフ制御したとき、これに対応して、定位出力信号及び反位出力信号の一方がローレベル／ハイレベルに変化するならば、第３抵抗器Ｒ３の開放故障が無く、且つ、転てつ機２０が反位転換状態にあることを示す転てつ表示情報が正しく伝達されていると判断することができる。また、共通検査信号をオン／オフ制御しても、定位出力信号及び反位出力信号がともにハイレベルに固定されているならば、第３抵抗器Ｒ３が開放故障している可能性があると判断することができる。
【００６２】
また、転てつ機２０のリレー接点が構成されているときには、共通検査信号のオン／オフ制御に関わらず、正入力端子１１及び負入力端子１２の間に常に電流が流れて接点ウェッティングがなされる。またこのときに流れる電流（ウェッティング電流）の大きさは、第４抵抗器Ｒ４の抵抗値によって決まるため、第４抵抗器Ｒ４の抵抗値を大きくすることで、共通検査信号がオフ制御時に流れる電流（ウェッティング電流）を小さくし、消費電力の低減を図ることができる。
【００６３】
［変形例］
なお、本発明の適用可能な実施形態は、上述の二つの実施形態に限定されるものではなく、本発明の趣旨を逸脱しない範囲で適宜変更可能なのは勿論である。
【００６４】
（１）
例えば、第１フォトトランジスタＰｔ１で構成した定位出力回路３１、又は、第６フォトトランジスタＰｔ６で構成した反位出力回路３２は、何れもコレクタ負荷型としたが、エミッタ負荷型としても良い。
【００６５】
（２）
また、第１フォトカプラＰ１〜第６フォトカプラＰ６のうちの何れか１つ以上のフォトカプラに代えて、フォトモスリレーなどの他の種類の光半導体素子を使用しても良い。
【００６６】
（３）
また、入力信号は転てつ機２０からの転てつ表示入力に限らず、極性によって異なる値を表す信号であれば何れでも良い。
【符号の説明】
【００６７】
１０Ａ、１０Ｂ  転てつ表示入力回路
１１  正入力端子、１２  負入力端子、１３  定位出力端子、１４  反位出力端子
１５  定位検査信号入力端子、１６  反位検査信号入力端子、
１７  検査信号入力端子
Ｒ１〜Ｒ８  抵抗器
Ｐ１〜Ｐ７，Ｐ９  フォトカプラ、Ｐ８  フォトＭＯＳリレー
Ｐｄ１〜Ｐｄ６，Ｐｄ８  フォトダイオード、Ｐｄ７，Ｐｄ９  双方向ダイオード
Ｐｔ１〜Ｐｔ７，Ｐｔ９  フォトトランジスタ、Ｐｔ８  双方向ＭＯＳＦＥＴ
Ｄ１，Ｄ２  ダイオード
２０  転てつ機
３０  電子連動装置
【図１】
0005432226.tif 000002
【図２】
0005432226.tif 000003
【図３】
0005432226.tif 000004
【図４】
0005432226.tif 000005
【図５】
0005432226.tif 000006
【図６】
0005432226.tif 000007
【図７】
0005432226.tif 000008
【図８】
0005432226.tif 000009
【図９】
0005432226.tif 000010